(57)【要約】【課題】  振動衝撃を緩和でき、筐体への取り付け、取り外しも簡単に行なえるハードディスクの支持構造を提供すること。【解決手段】  ハードディスク２０の幅方向の両側に位置する各側面に剛性を有する側辺部材３０が位置している。側辺部材３０に第１フランジ４０と第２フランジ４２が設けられている。緩衝部材５０は、第１の溝６２に第１フランジ４０が挿入され、第２の溝６４に第２フランジ４２が挿入されることで各側辺部材３０の長手方向の両端に装着されている。Ｘ軸方向緩衝部５２は、Ｘ軸方向において第１フランジ４０と筐体１８の箇所との間に挟まれる。Ｙ軸方向緩衝部５４は、Ｙ軸方向において側辺部材３０と筐体１８の箇所との間に挟まれる。Ｚ軸方向緩衝部５６は、Ｚ軸方向において第２フランジ４２と筐体１８の箇所との間に挟まれる。【選択図】        図４
2005339662.tif 000002
【特許請求の範囲】
【請求項１】
筐体内で、厚さよりも幅および長さが大きい扁平な直方体形状を呈するハードディスクを支持する構造であって、
前記幅方向において前記ハードディスクの互いに対向する一対の側面で前記ハードディスクの長さ方向に間隔をおいた２箇所に、前記ハードディスクの長さ方向に臨む面を有する第１フランジと、前記ハードディスクの厚さ方向に臨む面を有する第２フランジとがそれぞれ突設され、
前記第１フランジおよび第２フランジを介して前記一対の側面の２箇所に緩衝部材がそれぞれ装着され、
前記緩衝部材は、前記ハードディスクの長さ方向であるＸ軸方向において前記第１フランジと前記筐体の箇所との間に挟まれたＸ軸方向緩衝部と、前記ハードディスクの厚さ方向であるＺ軸方向において前記第２フランジと前記筐体の箇所との間に挟まれたＺ軸方向緩衝部と、前記ハードディスクの幅方向であるＹ軸方向において前記側面と前記筐体の箇所との間に挟まれたＹ軸方向緩衝部とを備え、
前記ハードディスクは、前記緩衝部材のＸ軸方向緩衝部とＹ軸方向緩衝部とＺ軸方向緩衝部を介して前記筐体内で支持されている、
ことを特徴とするハードディスクの支持構造。
【請求項２】
前記ハードディスクの一対の側面には剛性を有する側辺部材が位置しており、前記第１フランジと第２フランジは前記側辺部材に一体に設けられていることを特徴とする請求項１記載のハードディスクの支持構造。
【請求項３】
前記ハードディスクの一対の側面には剛性を有する側辺部材がそれら側面の全長にわたって延在しており、前記第１フランジは前記側辺部材の長手方向の両端に設けられ、前記第２フランジは前記第１フランジよりも前記側辺部材の長手方向の中央寄りの箇所に設けられていることを特徴とする請求項１記載のハードディスクの支持構造。
【請求項４】
前記Ｚ軸方向緩衝部は、Ｚ軸方向に沿って互いに逆向きの二方向のうちの一方の方向に向かって前記第２フランジから突出し前記第２フランジと前記筐体の箇所との間に挟まれたＺ軸方向第１緩衝部と、Ｚ軸方向に沿って互いに逆向きの二方向のうちの他方の方向に向かって前記第２フランジから突出し前記第２フランジと前記筐体の箇所との間に挟まれたＺ軸方向第２緩衝部とを含んでいることを特徴とする請求項１記載のハードディスクの支持構造。
【請求項５】
前記ハードディスクの長さ方向に間隔をおいた２箇所に配置される緩衝部材のうち、Ｘ軸方向に沿って互いに逆向きの二方向のうちの一方の方向に位置する緩衝部材の前記Ｘ軸方向緩衝部は、前記第１フランジから前記一方の方向に向かって突出し前記第１フランジと前記筐体の箇所との間に挟まれたＸ軸方向第１緩衝部であり、Ｘ軸方向に沿って互いに逆向きの二方向のうちの他方の方向に位置する緩衝部材の前記Ｘ軸方向緩衝部は、前記第１フランジから前記他方の方向に向かって突出し前記第１フランジと前記筐体の箇所との間に挟まれたＸ軸方向第２緩衝部であることを特徴とする請求項１記載のハードディスクの支持構造。
【請求項６】
前記ハードディスクの一対の側面に配置される緩衝部材のうち、Ｙ軸方向に沿って互いに逆向きの二方向のうちの一方の方向の側面に位置する緩衝部材の前記Ｙ軸方向緩衝部は、前記ハードディスクの側面から前記一方の方向に向かって突出し前記側面と前記筐体の箇所との間に挟まれたＹ軸方向第１緩衝部であり、Ｙ軸方向に沿って互いに逆向きの二方向のうちの他方の方向の側面に位置する緩衝部材の前記Ｙ軸方向緩衝部は、前記ハードディスクの側面から前記他方の方向に向かって突出し前記側面と前記筐体の箇所との間に挟まれたＹ軸方向第２緩衝部であることを特徴とする請求項１記載のハードディスクの支持構造。
【請求項７】
前記筐体内に、前記Ｚ軸方向に沿って互いに逆向きの二方向のうちの一方の方向に前記ハードディスクと並べて回路基板が配設され、前記Ｚ軸方向緩衝部は、前記Ｚ軸方向に沿って互いに逆向きの二方向のうちの一方の方向に向かって前記第２フランジから突出し前記第２フランジと前記回路基板の箇所との間に挟まれたＺ軸方向第１緩衝部と、Ｚ軸方向に沿って互いに逆向きの二方向のうちの他方の方向に向かって前記第２フランジから突出し前記第２フランジと前記筐体の箇所との間に挟まれたＺ軸方向第２緩衝部とを含んでいることを特徴とする請求項１記載のハードディスクの支持構造。
【請求項８】
前記緩衝部材は、前記ハードディスクの長さ方向に延在する長さと、前記長さよりも小さい寸法でハードディスクの幅方向に延在する厚さとを有する扁平な板状に形成され、前記緩衝部材には、前記第１フランジが挿入される第１の溝と前記第２フランジが挿入される第２の溝が前記緩衝部材の長さ方向に間隔をおいて形成されていることを特徴とする請求項１記載のハードディスクの支持構造。
【請求項９】
前記緩衝部材は、前記ハードディスクの長さ方向に延在する長さと、前記長さよりも小さい寸法でハードディスクの幅方向に延在する厚さとを有する扁平な板状に形成され、前記緩衝部材には、前記第１フランジが挿入される第１の溝と前記第２フランジが挿入される第２の溝が前記緩衝部材の長さ方向に間隔をおいて形成され、これら第１の溝と第２の溝の間に前記Ｙ軸方向緩衝部が位置していることを特徴とする請求項１記載のハードディスクの支持構造。
【請求項１０】
前記緩衝部材は、前記ハードディスクの長さ方向に延在する長さと、前記長さよりも小さい寸法でハードディスクの幅方向に延在する厚さとを有する扁平な板状に形成され、前記緩衝部材には、前記第１フランジが挿入される第１の溝と前記第２フランジが挿入される第２の溝が前記緩衝部材の長さ方向に間隔をおいて形成され、前記第２の溝は前記Ｚ軸方向緩衝部の前記Ｚ軸方向の中央に設けられていることを特徴とする請求項１記載のハードディスクの支持構造。
【発明の詳細な説明】
【技術分野】
【０００１】
本発明は筐体の内部におけるハードディスクの支持構造に関する。
【背景技術】
【０００２】
例えば、ノート型パソコンやハードディスクドライブケースなどの電子機器では、その筐体の内部に、情報の書き込み、読み出しを行なうためのハードディスクが収容されている。
そしてこのような電子機器では、ハードディスクを振動や衝撃から保護するため、その支持構造に振動衝撃を緩和する構成が採用されている。
従来、振動衝撃を緩和するためのハードディスクの支持構造として、扁平な矩形板状のハードディスクの長手方向両端に、緩衝材を被せる構造（特許文献１）や、複数の緩衝材をハードディスクの周囲にねじにより取り付け、この緩衝材を介してねじで筐体に取り付ける構造（特許文献２）が知られている。
【特許文献１】特開２００３−１７８７０号公報
【特許文献２】特開平１１−２３２８６０号公報
【発明の開示】
【発明が解決しようとする課題】
【０００３】
しかしながら、ハードディスクの長手方向両端に、緩衝材を被せる従来構造では、ハードディスクの長手方向両端に、その厚さ方向、長手方向、幅方向に大きなスペースを確保する必要があり、電子機器の小型化を図る上で不利があった。
また、複数の緩衝材をハードディスクの周囲にねじにより取り付け、この緩衝材を介してねじで筐体にハードディスクを取り付ける構造では、ねじによる締め付け作業の箇所が多くなり、筐体へのハードディスクの取り付け、取り外しを簡単に行なうことができない不利があった。
本発明は前記事情に鑑み案出されたものであって、本発明の目的は、振動衝撃を緩和でき、筐体への取り付け、取り外しも簡単に行なえるハードディスクの支持構造を提供することにある。
【課題を解決するための手段】
【０００４】
前記目的を達成するため本発明は、筐体内で、厚さよりも幅および長さが大きい扁平な直方体形状を呈するハードディスクを支持する構造である。前記幅方向において前記ハードディスクの互いに対向する一対の側面で前記ハードディスクの長さ方向に間隔をおいた２箇所に、前記ハードディスクの長さ方向に臨む面を有する第１フランジと、前記ハードディスクの厚さ方向に臨む面を有する第２フランジとがそれぞれ突設されている。前記第１フランジおよび第２フランジを介して前記一対の側面の２箇所に緩衝部材がそれぞれ装着されている。前記緩衝部材は、前記ハードディスクの長さ方向であるＸ軸方向において前記第１フランジと前記筐体の箇所との間に挟まれたＸ軸方向緩衝部と、前記ハードディスクの厚さ方向であるＺ軸方向において前記第２フランジと前記筐体の箇所との間に挟まれたＺ軸方向緩衝部と、前記ハードディスクの幅方向であるＹ軸方向において前記側面と前記筐体の箇所との間に挟まれたＹ軸方向緩衝部とを備えている。前記ハードディスクは、前記緩衝部材のＸ軸方向緩衝部とＹ軸方向緩衝部とＺ軸方向緩衝部を介して前記筐体内で支持されている。
【発明の効果】
【０００５】
本発明によれば、電子機器に、Ｘ軸方向、Ｙ軸方向、Ｚ軸方向の何れの方向に振動、衝撃が作用した場合であっても、緩衝部材のＸ軸方向緩衝部、Ｙ軸方向緩衝部、Ｚ軸方向緩衝部によりハードディスクへの振動、衝撃を緩和する。
緩衝部材は、ハードディスクの側面に装着される小さい輪郭の扁平な板状とすることができるので、電子機器の小型化を図る上で有利となる。
また、緩衝部材のハードディスクへの装着は、ハードディスクの側面の第１フランジと第２フランジを介して行なわれるので、緩衝部材の取り付け、取り外しも簡単に行なえる。
【発明を実施するための最良の形態】
【０００６】
本発明は、ハードディスクの幅方向において互いに対向する一対の側面でハードディスクの長さ方向に間隔をおいた２箇所に第１フランジと第２フランジとを設け、これら第１フランジおよび第２フランジを介して前記一対の側面の２箇所に緩衝部材をそれぞれ装着することで上記の目的を達成した。
以下、ハードディスクが収容された電子機器がハードディスクドライブケースである実施例について図面にしたがって説明する。
【実施例１】
【０００７】
図１（Ａ）は蓋を閉じた状態のハードディスクドライブケースの斜視図、図１（Ｂ）は蓋を開けた状態のハードディスクドライブケースの斜視図、図２（Ａ）はハードディスクを上方から見た斜視図、図２（Ｂ）はハードディスクを下方から見た斜視図を示す。
ハードディスクドライブケース１２は、ボトムケース１４とトップケース１６とからなる上下半割の筐体１８を備え、ボトムケース１４の内部に、図２に示すハードディスク２０が収容されている。
トップケース１６の内部の下端全域に、ハードディスク２０を駆動する電子回路が設けられたプリント回路基板２２（図１１参照）が配設され、トップケース１６の内部でプリント基板２２の上方にコンパクトフラッシュ（登録商標）カードＣが収容されるコンパクトフラッシュカード収容室２４、メモリースティック（ソニー株式会社の登録商標）Ｍが収容されるメモリースティック収容室２６が設けられている。
そして、トップケース１６の一方の端面に、コンパクトフラッシュカード収容室２４とメモリースティック収容室２６が開口されており、他方の端面に、ＵＳＢケーブル用の接続端子などが設けられ、それらトップケースの端面には開閉可能に蓋２８が設けられている。
【０００８】
ハードディスク２０の内部には、情報記録媒体として機能する磁気ディスク、磁気ディスクを回転駆動するスピンドルモータ、磁気ディスクに対して情報の書き込み、読み出しを行なう磁気ヘッド、磁気ヘッドを磁気ディスクの径方向に移動させるヘッドアクチュエータ、制御部などが設けられている。
ハードディスク２０の制御部は、プリント回路基板２２に設けられた制御回路との間で制御信号、データ信号の授受を行うとともに、スピンドルモータ、磁気ヘッド、ヘッドアクチュエータの動作を制御することにより、磁気ヘッドによる磁気ディスクに対するデータの書き込み、あるいは、磁気ヘッドによる磁気ディスクからのデータの読み出しを行う。
具体的には、例えば、デジタルスチルカメラなどの撮像装置によって画像データや音声データなどのデータが記録されたコンパクトフラッシュカードＣ、メモリースティックＭがコンパクトフラッシュカード収容室２４、メモリースティック収容室２６に収容されると、プリント回路基板２２の制御回路によってコンパクトフラッシュカードＣ、メモリースティックＭから前記データが読み出され、読み出されたデータは、ハードディスク２０の制御部を介して磁気ディスクに書き込まれ、これによりコンパクトフラッシュカードＣ、メモリースティックＭに記録されていたデータのハードディスク２０へのバックアップが行えるように構成されている。また、ハードディスク２０にバックアップされているデータをハードディスク２０の制御部およびプリント回路基板２２に設けられた制御回路を介してコンパクトフラッシュカードＣ、メモリースティックＭに書き込むことができるように構成されている。また、前記ＵＳＢケーブル用の接続端子とパーソナルコンピュータのＵＳＢ端子とをケーブルで接続すれば、ハードディスク２０の制御部およびプリント回路基板２２に設けられた制御回路を介してハードディスク２０とパーソナルコンピュータとの間でデータを授受することができるように構成されている。
【０００９】
次に、ハードディスク２０の支持構造について説明する。
図２に示すように、ハードディスク２０は幅が厚さよりも大きく、長さが幅よりも大きい扁平な直方体状を呈し、幅方向の両側に位置する各側面にアルミなどの金属板からなる剛性を有する側辺部材３０が位置しており、側辺部材３０はねじ３００２により不図示のベースに取着され、底面と上面はカバー３２で覆われ、上述の磁気ディスクは底面および上面に平行するように配設されている。
なお、説明の便宜上、ハードディスク２０の長さ方向をＸ軸方向とし、ハードディスク２０の幅方向をＹ軸方向とし、ハードディスク２０の厚さ方向をＺ軸方向とする。
【００１０】
図３（Ａ）は側辺部材の正面図、（Ｂ）は側辺部材の平面図、（Ｃ）は（Ａ）のＣ矢視拡大図、（Ｄ）は（Ａ）のＤ矢視拡大図、（Ｅ）は（Ａ）のＥ矢視拡大図、（Ｆ）は（Ａ）のＦ矢視拡大図を示す。
ハードディスク２０の幅方向の両側に配設される側辺部材３０は互いに対称な形状であり、側辺部材３０は、ハードディスク２０の側面の全長にわたり延在しており、その長さ方向の両端寄り箇所に、それぞれ第１フランジ４０と第２フランジ４２とが設けられている。
第１フランジ４０は、Ｘ軸方向に臨む面を有している。言い換えると、第１フランジ４０は、側辺部材３０の長さ方向の両端からハードディスク２０の厚さ方向に延在しつつハードディスク２０の幅方向に突設され、ハードディスク２０の長さ方向に臨む面を有している。
第２フランジ４２は、第１フランジ４０が設けられた側辺部材３０の箇所よりも側辺部材３０の長手方向の中央寄り箇所に設けられ、Ｚ軸方向に臨む面を有している。言い換えると、第２フランジ４２は、第１フランジ４０が設けられた側辺部材３０の箇所よりも側辺部材３０の長手方向の中央寄り箇所からハードディスク２０の長さ方向に延在しつつハードディスク２０の幅方向に突設され、厚さ方向に臨む面を有している。
また、第２フランジ４２が設けられた側辺部材３０の箇所よりも側辺部材３０の長手方向の中央寄り箇所に、凸片３００４が高さ方向に突設され、図３において符号３００５は窓、符号３００６はねじ３００２の挿通孔、符号３００８はカバー３２の取り付け用のボス部を示す。
【００１１】
ハードディスク２０は、図４に示すように、緩衝部材５０を介して筐体１８内で支持され、本実施例では、緩衝部材５０を配設するにあたりスペーサ７０が用いられている。
緩衝部材５０およびスペーサ７０は、ハードディスク２０の幅方向の両側に位置する各側面の長手方向に間隔をおいた箇所に配置され、ハードディスク２０の幅方向の両側に配設される緩衝部材５０、スペーサ７０どうしは、ハードディスク２０の幅方向の中心を通りハードディスク２０の長手方向に延在する想像線に対して対称形状であり、側面の長手方向の両側に配設される緩衝部材５０、スペーサ７０どうしは、側面の長手方向の中心を通りハードディスク２０の幅方向に延在する想像線に対して対称形状である。
【００１２】
スペーサ７０は、両側の各側辺部材３０の長手方向の両端に、それぞれ凸片３００４および窓３００５を介して配設されている。
図５（Ａ）はスペーサの平面図、（Ｂ）はスペーサの要部断面正面図、（Ｃ）はスペーサの底面図、（Ｄ）は（Ｂ）のＤ矢視図、（Ｅ）は（Ａ）のＥ矢視図、（Ｆ）は（Ｄ）のＦ矢視図を示す。
スペーサ７０は、硬質な合成樹脂などのような可撓不能な材料により形成されている。
スペーサ７０は、係止爪７００２と、係合凸部７００４と、これら係止爪７００２と係合凸部７００４とを連結する連結板部７００６とを備えている。
係止爪７００２は、上端の嵌合孔７０１２に側辺部材３０の凸片３００４が挿入されて側辺部材３０に位置決めされ、下端の係止部７０１４が側辺部材３０の窓３００５の上縁に係止し保持されている。
連結板部７００６は、側辺部材３０の第２フランジ４２上で側辺部材３０の長手方向に延在している。
係合凸部７００４は、緩衝部材５０の切り欠き６６（図６参照）に係合するように形成されている。
【００１３】
図６（Ａ）は緩衝部材の正面図、（Ｂ）は（Ａ）のＢ矢視図、（Ｃ）は（Ａ）のＣ矢視図、（Ｄ）は（Ｃ）のＤ矢視図、（Ｅ）は（Ａ）のＥ矢視図、（Ｆ）は（Ａ）のＦ矢視図、（Ｇ）は（Ａ）のＧ矢視図、（Ｈ）は（Ａ）のＨ矢視図、（Ｉ）は（Ａ）のＩ矢視図、（Ｊ）は（Ｄ）のＪ矢視図を示す。
緩衝部材５０は、両側の各側辺部材３０の長手方向の両端に、それぞれ第１フランジ４０および第２フランジ４２を介して配設されている。
緩衝部材５０は、ゴムなどのような弾性を有し緩衝性を有する材料により形成されている。
緩衝部材５０は、厚さと、厚さよりも大きな寸法の幅と、幅よりも大きな寸法の長さを有し、扁平な板状を呈し、本実施例では、ハードディスク２０は幅方向の両側にそれぞれ側辺部材３０が位置していることから、緩衝部材５０は、その厚さ方向の一方の面を側辺部材３０（ハードディスク２０の側面）に合わせ、幅方向をハードディスク２０の高さ方向に合わせ、長さ方向を側辺部材３０の長さ方向（ハードディスク２０の長さ方向）に合わせて配設されている。
【００１４】
緩衝部材５０は、その長さ方向に、Ｘ軸方向緩衝部５２と、Ｙ軸方向緩衝部５４と、Ｚ軸方向緩衝部５６とが並べられ相互に間隔をおいて設けられている。
Ｘ軸方向緩衝部５２とＹ軸方向緩衝部５４とＺ軸方向緩衝部５６とは、それぞれそれらの方向において緩衝作用を発揮するように、緩衝部材５０の厚さ方向、幅方向、長さ方向に延在し所定の体積を有して肉厚に形成されている。
また、緩衝部材５０のＸ軸方向緩衝部５２とＹ軸方向緩衝部５４との間に、緩衝部材５０の幅方向に延在する第１の溝６２が形成され、Ｚ軸方向緩衝部５６の幅方向および長さ方向の中央に、緩衝部材５０の長さ方向に延在する第２の溝６４が形成され、Ｙ軸方向緩衝部５４とＺ軸方向緩衝部５６との間に切り欠き６６が設けられている。
緩衝部材５０は、第１の溝６２に第１フランジ４０が挿入され、第２の溝６４に第２フランジ４２が挿入されることで各側辺部材３０の長手方向の両端に装着されている。
【００１５】
このように両側の各側辺部材３０の長手方向の両端にそれぞれスペーサ７０、緩衝部材５０が配設され、この状態で、図７に示すように、ハードディスク２０はボトムケース１４に収容される。
図８に示すように、ボトムケース１４内の四隅には、Ｘ軸方向緩衝部５２の先端に係合する断面がコ字状の係合壁１４１２と、Ｚ軸方向緩衝部５６の下端に係合する断面がコ字状の係合壁１４１４が形成され、また、それら係合壁１４１２、１４１４の間に、Ｙ軸方向緩衝部５４の先端に当接する平坦な当接面１４１６が形成されている。
ボトムケース１４の幅方向の両側に配設される係合壁１４１２、１４１４どうしは、ボトムケース１４の幅方向の中心を通りボトムケース１４の長手方向に延在する想像線に対して対称形状であり、ボトムケース１４の長手方向の両側に配設される係合壁１４１２、１４１４どうしは、ボトムケース１４の長手方向の中心を通りボトムケース１４の幅方向に延在する想像線に対して対称形状である。
そして、ハードディスク２０がボトムケース１４に収容される際に、４つの緩衝部材５０のＸ軸方向緩衝部５２がそれぞれ係合壁１４１２に係合され、また、Ｚ軸方向緩衝部５６がそれぞれ係合壁１４１４に係合され、また、Ｙ軸方向緩衝部５４の先端が当接面１４１６に当接される。
さらに、この上に、下端全域にプリント回路基板２２が設けられたトップケース１６が合わされてボトムケース１４とトップケース１６が結合され、これによりハードディスクドライブケース１２が構成され、ハードディスク２０が緩衝部材５０を介して筐体１８の内部で支持されることになる。
【００１６】
ハードディスク２０の支持構造についてより詳細に説明する。
まず、Ｘ軸方向緩衝部５２から説明する。
図７に示すように、Ｘ軸方向に沿って互いに逆向きの二方向のうちの一方の方向（Ｘ軸方向において＋で示す方向）のハードディスク２０の端部に配置される緩衝部材５０のＸ軸方向緩衝部５２は、前記一方の方向（Ｘ軸方向において＋で示す方向）に向かって第１フランジ４０から突出し、第１フランジ４０と係合壁１４１２との間に挟まれたＸ軸方向第１緩衝部５２Ａとして形成されている。
また、Ｘ軸方向に沿って互いに逆向きの二方向のうちの他方の方向（Ｘ軸方向において−で示す方向）のハードディスク２０の端部に配置される緩衝部材５０のＸ軸方向緩衝部５２は、図９にも示すように、前記他方の方向（Ｘ軸方向において−で示す方向）に向かって第１フランジ４０から突出し、第１フランジ４０と係合壁１４１２との間に挟まれたＸ軸方向第２緩衝部５２Ｂとして形成されている。
【００１７】
次に、Ｙ軸方向緩衝部５４について説明する。
図７に示すように、Ｙ軸方向に沿って互いに逆向きの二方向のうちの一方の方向（Ｙ軸方向において＋で示す方向）のハードディスク２０の端部に配置される緩衝部材５０のＹ軸方向緩衝部５４は、図１０にも示すように、Ｙ軸方向に沿って互いに逆向きの二方向のうち一方の方向（Ｙ軸方向において＋で示す方向）に向かって側辺部材３０（ハードディスク２０の側面）から突出し側辺部材３０（ハードディスク２０の側面）と当接面１４１６との間に挟まれたＹ軸方向第１緩衝部５４Ａとして形成されている。
また、Ｙ軸方向に沿って互いに逆向きの二方向のうちの他方の方向（Ｙ軸方向において−で示す方向）のハードディスク２０の端部に配置される緩衝部材５０のＹ軸方向緩衝部５４は、Ｙ軸方向に沿って互いに逆向きの二方向のうち他方の方向（Ｙ軸方向において−で示す方向）に向かって側辺部材３０（ハードディスク２０の側面）から突出し、側辺部材３０（ハードディスク２０の側面）と接面１４１６との間に挟まれたＹ軸方向第２緩衝部５４Ｂとして形成されている。
【００１８】
次に、Ｚ軸方向緩衝部５６について説明する。
図１１に示すように、Ｚ軸方向緩衝部５６は、Ｚ軸方向に沿って互いに逆向きの二方向のうちの一方の方向（Ｚ軸方向において＋で示す方向）に向かって第２フランジ４２から突出し第２フランジ４２と筐体１８の箇所との間に挟まれたＺ軸方向第１緩衝部５６Ａと、Ｚ軸方向に沿って互いに逆向きの二方向のうちの他方の方向（Ｚ軸方向において−で示す方向）に向かって第２フランジ４２から突出し第２フランジ４２と係合壁１４１４との間に挟まれたＺ軸方向第２緩衝部５６Ｂとを備えている。
本実施例では、ボトムケース１４に結合されるトップケース１６の下端全域にプリント回路基板２２が位置しており、したがって、Ｚ軸方向第１緩衝部５６Ａは第２フランジ４２とプリント回路基板２２との間で挟まれている。
【００１９】
なお、スペーサ７０は、図５（Ａ）、（Ｂ）、図１０に示すように、側辺部材３０の凸片３００４および窓３００５を介して係止爪７００２が側辺部材３０に位置決め保持され、係合凸部７００４が緩衝部材５０の切り欠き６６に系合して位置決めされ、Ｚ軸方向第１緩衝部５６Ａの幅方向内側で連結板部７００６が第２フランジ４２上で側辺部材３０の長手方向に延在しているので、連結板部７００６により振動や衝撃の緩和時におけるＺ軸方向第１緩衝部５６Ａの内方向への倒れ、座屈を防止している。
【００２０】
本実施例によれば、ハードディスクドライブケース１２に、Ｘ軸方向、Ｙ軸方向、Ｚ軸方向の何れの方向に振動、衝撃が作用した場合であっても、緩衝部材５０のＸ軸方向緩衝部５２、Ｙ軸方向緩衝部５４、Ｚ軸方向緩衝部５６により振動、衝撃を緩和でき、ハードディスク２０を振動、衝撃から保護する上で有利となる。
また、緩衝部材５０は、ハードディスク２０の側面に装着される小さい輪郭の扁平な板状とすることができるので、最小限のスペースを確保すれば緩衝部材５０を配設でき、ハードディスクドライブケース１２の小型化を図る上で有利となる。
また、緩衝部材５０のハードディスク２０への装着は、ハードディスク２０の側面の第１フランジ４０と第２フランジ４２を、緩衝部材５０の第１の溝６２と第２の溝６４にそれぞれ挿入することでなされるので、緩衝部材５０の取り付け、取り外しも簡単に行なえ、組み立てコストを低減する上でも有利となる。
【００２１】
なお、Ｘ軸方向第１緩衝部５２ＡとＸ軸方向第２緩衝部５２Ｂは、Ｚ軸方向第１緩衝部５６ＡとＺ軸方向第２緩衝部５６Ｂと同様に、筐体１８に係合壁１４１２を追加することなどで単一の緩衝部材５０に設けることも可能である。
また、実施例では、電子機器がハードディスクドライブケース１２である場合について説明したが、本発明は、ノート型パソコンなどのようなその他の種々の電子機器に広く適用されるものである。
【図面の簡単な説明】
【００２２】
【図１】ハードディスクドライブケースの説明図である。
【図２】ハードディスクの説明図である。
【図３】側辺部材の説明図である。
【図４】ハードディスクに緩衝部材およびスペーサが装着された説明図である。
【図５】スペーサの説明図である。
【図６】緩衝部材の説明図である。
【図７】ボトムケースにハードディスクが収容された説明図である。
【図８】ボトムケースの説明図である。
【図９】緩衝部材のＸ軸方向緩衝部の説明図である。
【図１０】緩衝部材のＹ軸方向緩衝部の説明図である。
【図１１】緩衝部材のＺ軸方向緩衝部の説明図である。
【符号の説明】
【００２３】
１２……ハードディスクドライブケース、１４……ボトムケース、１８……筐体、２０……ハードディスク、３０……側辺部材、４０……第１フランジ、４２……第２フランジ、５０……緩衝部材、５２……Ｘ軸方向緩衝部、５４……Ｙ軸方向緩衝部、５６……Ｚ軸方向緩衝部、７０……スペーサ。
【図１】
2005339662.tif 000003
【図２】
2005339662.tif 000004
【図３】
2005339662.tif 000005
【図４】
2005339662.tif 000006
【図５】
2005339662.tif 000007
【図６】
2005339662.tif 000008
【図７】
2005339662.tif 000009
【図８】
2005339662.tif 000010
【図９】
2005339662.tif 000011
【図１０】
2005339662.tif 000012
【図１１】
2005339662.tif 000013